(57)【要約】【課題】水道給水栓から水を出している時、この水を下水管に流すことができ、水道給水栓から水を出していない時、下水管からの下水の逆流を防止することが可能な下水逆流防止機構を提供する。【解決手段】排水管１４内の流路を開閉する開閉体３２と、開閉体３２を開閉作動させる作動装置３３とを有し、作動装置３３は、水道管１６内の水圧を作動圧として開閉体３２を閉方向へ付勢するピストン３６と、開閉体３２を開方向へ付勢するバネ３７とを有し、水道給水栓１７を閉じた状態では、ピストン３６による閉方向への付勢力Ｆｓがバネ３７による開方向への付勢力Ｆｏよりも大きくなり、水道給水栓１７を開いた状態では、上記閉方向への付勢力Ｆｓが上記開方向への付勢力Ｆｏよりも小さくなるように設定されている。【選択図】図１
2008231847.tif 000002
【特許請求の範囲】
【請求項１】
水道給水栓から排出された水が排水管を経て下水管に流れ込む流路に設けられ、
下水管から排水管への下水の逆流を防止する下水逆流防止機構であって、
排水管内の流路を開閉する開閉体と、開閉体を開閉作動させる作動装置とを有し、
作動装置は、水道給水栓が接続されている水道管内の水圧を作動圧として開閉体を閉方向へ付勢するピストンと、開閉体を開方向へ付勢する弾性部材とを有し、
水道給水栓を閉じた状態では、ピストンによる閉方向への付勢力が弾性部材による開方向への付勢力よりも大きくなり、水道給水栓を開いた状態では、ピストンによる閉方向への付勢力が弾性部材による開方向への付勢力よりも小さくなるように設定されていることを特徴とする下水逆流防止機構。
【請求項２】
排水管は排水トラップを有し、
開閉体は排水トラップの下流側又は上流側に設けられていることを特徴とする請求項１記載の下水逆流防止機構。
【発明の詳細な説明】
【技術分野】
【０００１】
本発明は、下水管から排水管への下水の逆流を防止する下水逆流防止機構に関する。
【背景技術】
【０００２】
従来、図４に示すように、地上に設置された流し台１１の底部に排水口１２が形成され、排水口１２と地中に埋設された下水管１３との間に排水管１４が接続されている。また、水道管１６の末端には、流し台１１に水を供給する水道給水栓１７（蛇口）が設けられている。排水管１４は排水トラップ１８を有している。また、排水管１４には、下水管１３からの下水の逆流を防止する逆流防止弁１９が設けられている。
【０００３】
これによると、水道給水栓１７を開いて水を出した場合、この水は排水口１２から排水管１４を経て下水管１３に流れ込む。また、大雨等により下水管１３内の水位が上昇し、下水管１３内の下水が排水管１４内を逆流しようとしても、逆流防止弁１９が流路を閉じることによって下水の逆流が防止されるため、下水管１３内の下水が排水管１４を逆流して流し台１１に溢れ出すのを防止することができる。
【０００４】
尚、下記特許文献１には、排水管に逆流防止弁を設けた構成が開示されている。
【特許文献１】特開２００１−１９３１１４
【発明の開示】
【発明が解決しようとする課題】
【０００５】
しかしながら上記の従来形式では、逆流防止弁１９が流路を閉じることによって下水の逆流を防止しているが、この状態で、水道給水栓１７を開いて水を出した場合、水道給水栓１７から出た水が、排水管１４内を流れずに、流し台１１に溢れ出すといった問題がある。
【０００６】
本発明は、水道給水栓から水を出している時、この水を下水管に流すことができ、水道給水栓から水を出していない時、下水管からの下水の逆流を防止することが可能な下水逆流防止機構を提供することを目的とする。
【課題を解決するための手段】
【０００７】
上記目的を達成するために本第１発明は、水道給水栓から排出された水が排水管を経て下水管に流れ込む流路に設けられ、下水管から排水管への下水の逆流を防止する下水逆流防止機構であって、排水管内の流路を開閉する開閉体と、開閉体を開閉作動させる作動装置とを有し、作動装置は、水道給水栓が接続されている水道管内の水圧を作動圧として開閉体を閉方向へ付勢するピストンと、開閉体を開方向へ付勢する弾性部材とを有し、水道給水栓を閉じた状態では、ピストンによる閉方向への付勢力が弾性部材による開方向への付勢力よりも大きくなり、水道給水栓を開いた状態では、ピストンによる閉方向への付勢力が弾性部材による開方向への付勢力よりも小さくなるように設定されているものである。
【０００８】
これによると、水道給水栓を閉じた場合、水道管内の水圧がピストンにかかり、ピストンによる閉方向への付勢力が弾性部材による開方向への付勢力よりも大きくなるため、開閉体がピストンによって閉方向へ作動し排水管内の流路を閉じる。これにより、水道給水栓から水を出していない時、下水管内の下水が排水管を逆流するのを防止することができる。
【０００９】
また、水道給水栓を開いた場合、水道管内の水が水道給水栓から流出するため、水道管内の水圧が低下し、ピストンにかかる水圧が低下する。これにより、ピストンによる閉方向への付勢力が弾性部材による開方向への付勢力よりも小さくなり、開閉体が弾性部材によって開方向へ作動し排水管内の流路を開く。したがって、水道給水栓から水を出している時、この水を下水管に流すことができる。
【００１０】
また、開閉体は上記のように水道管内の水圧による付勢力と弾性部材による付勢力とで開閉するため、電力が不要であり、コストが低減される。
本第２発明は、排水管は排水トラップを有し、開閉体は排水トラップの下流側又は上流側に設けられているものである。
【００１１】
これによると、下水管からの臭気の逆流を防止することができる。
【発明の効果】
【００１２】
以上のように本発明によると、水道給水栓から水を出していない時、下水管内の下水が排水管を逆流するのを防止することができ、水道給水栓から水を出している時、この水を下水管に流すことができる。
【００１３】
また、開閉体は水道管内の水圧による付勢力と弾性部材による付勢力とで開閉するため、電力が不要であり、コストが低減される。
さらに、排水トラップにより、下水管からの臭気の逆流を防止することができる。
【発明を実施するための最良の形態】
【００１４】
以下、本発明における実施の形態を図１〜図３を参照して説明する。尚、先述した従来のものと同じ部材については同一の符号を付記して説明を省略する。
水道給水栓１７から排出された水Ｗが排水管１４を経て下水管１３に流れ込む流路には、下水管１３から排水管１４への下水の逆流を防止する下水逆流防止機構３１が設けられている。下水逆流防止機構３１は、排水管１４内の流路を開閉する開閉体３２と、開閉体３２を開閉作動させる作動装置３３とを有している。
【００１５】
開閉体３２は、排水トラップ１８の下流側と下水管１３との間に配置され、排水管１４の流路に対して直交する横方向に出退して、閉位置Ｓ（図１参照）と開位置Ｏ（図２参照）に切換えられる。
【００１６】
作動装置３３は、筒体３５と、筒体３５内に収納されて開閉方向へ移動自在なピストン３６と、コイル状のバネ３７（弾性部材の一例）と、ピストン３６の移動を時間的に遅らせるダッシュポット３８と、水道管１６と筒体３５との間に接続された導圧管３９とを有している。
【００１７】
ピストン３６と開閉体３２とは連結軸４０を介して連結されている。また、水道管１６内の水圧は導圧管３９を介してピストン３６の背面に作用しており、これにより、ピストン３６は、水道管１６内の水圧を作動圧として、開閉体３２を閉方向へ付勢している。また、バネ３７は、ピストン３６の付勢力に抗して、開閉体３２を開方向へ付勢している。
【００１８】
尚、図１に示すように、水道給水栓１７を閉じた状態では、ピストン３６による閉方向への付勢力Ｆｓがバネ３７による開方向への付勢力Ｆｏよりも大きくなるように設定され、また、図２に示すように、水道給水栓１７を開いた状態では、上記付勢力Ｆｓが上記付勢力Ｆｏよりも小さくなるように設定されている。
【００１９】
ダッシュポット３８は、筒体３５内に収納され、ピストン３６の背面側に設置されている。また、水道管１６内にはオリフィス４１が設けられている。このオリフィス４１は、水道管１６と導圧管３９との接続部よりも上流側に位置しており、水道給水栓１７を開いた場合にオリフィス４１と水道給水栓１７との間の水圧を低下させる役割を担っているものである。
【００２０】
以下、上記構成における作用を説明する。
図１に示すように、水道給水栓１７を閉じた場合、水道管１６内の水圧が導圧管３９を介してピストン３６の背面にかかり、ピストン３６による閉方向への付勢力Ｆｓがバネ３７による開方向への付勢力Ｆｏよりも大きくなるため、開閉体３２がピストン３６に押されて閉方向へ作動し排水管１４内の流路を閉じる。これにより、水道給水栓１７から水Ｗを出していない時、下水管１３内の下水が排水管１４を逆流して流し台１１に溢れ出すのを防止することができる。
【００２１】
また、図２に示すように、水道給水栓１７を開いた場合、水道管１６内の水Ｗが水道給水栓１７から流出するため、水道管１６内の水圧が低下する。この際、水Ｗがオリフィス４１を通過する時の圧力損失によって、オリフィス４１と水道給水栓１７との間の水圧が一段と低下するため、導圧管３９を介してピストン３６の背面にかかる水圧が低下する。これにより、ピストン３６による閉方向への付勢力Ｆｓがバネ３７による開方向への付勢力Ｆｏよりも小さくなり、開閉体３２がバネ３７に押されて開方向へ作動し排水管１４内の流路を開く。したがって、水道給水栓１７から水Ｗを出している時、この水Ｗを下水管１３に流すことができる。
【００２２】
また、開閉体３２は上記のように水道管１６内の水圧による付勢力Ｆｓとバネ３７による付勢力Ｆｏとで開閉するため、電力が不要であり、コストが低減される。
また、水道給水栓１７を開いた状態から閉じた場合、導圧管３９を介してピストン３６の背面にかかる水圧が増大し、閉方向への付勢力Ｆｓが開方向への付勢力Ｆｏよりも大きくなってピストン３６が閉方向へ作動するが、この際、ピストン３６の閉方向への移動はダッシュポット３８によって時間的に遅れる。これにより、水道給水栓１７を閉じた時点から一定時間遅れて開閉体３２が閉位置Ｓまで移動するため、排水管１４内を水Ｗが通過した直後に開閉体３２が排水管１４の流路を閉じることになる。したがって、水道給水栓１７から排出された水Ｗの流れが開閉体３２によって堰き止められるのを防止することができる。尚、上記一定時間は、水道給水栓１７から排出された水Ｗが開閉体３２の設置箇所を通過するまでに要する時間とほぼ同じ時間に相当する。
【００２３】
また、排水トラップ１８により、下水管１３からの臭気の逆流を防止することができる。
上記実施の形態では、開閉体３２を、排水トラップ１８の下流側と下水管１３との間に配置しているが、排水トラップ１８の上流側と流し台１１との間に配置してもよい。
【図面の簡単な説明】
【００２４】
【図１】本発明の実施の形態における下水逆流防止機構の図であり、開閉体が閉位置に突出した状態を示す。
【図２】同、下水逆流防止機構の図であり、開閉体が開位置に退入した状態を示す。
【図３】図２におけるＡ−Ａ矢視図である。
【図４】従来の下水逆流防止機構の図である。
【符号の説明】
【００２５】
１３    下水管
１４    排水管
１６    水道管
１７    水道給水栓
１８    排水トラップ
３１    下水逆流防止機構
３２    開閉体
３３    作動装置
３６    ピストン
３７    バネ（弾性部材）
Ｆｓ    閉方向への付勢力
Ｆｏ    開方向への付勢力
Ｗ      水
【図１】
2008231847.tif 000003
【図２】
2008231847.tif 000004
【図３】
2008231847.tif 000005
【図４】
2008231847.tif 000006